(57)【要約】  本開示の誘導加熱装置は、被加熱物を載置するためのトッププレート１３と、前記トッププレートの下方に配置された複数の加熱コイル１１と、前記複数の加熱コイルに高周波電流を供給するインバータ１６と、前記インバータの出力を制御する制御部１７と、被加熱物の状態を判別する被加熱物判別部１８と、を備える。被加熱物判別部１８は、被加熱物が載置された領域に対応する加熱コイルを検出し、検出された加熱コイルのうち判別期間内に検出された加熱コイルで形成される領域に１つの被加熱物が載置されているものと判別する。
2014064941.tif 000002
【特許請求の範囲】
【請求項１】
被加熱物を載置するためのトッププレートと、
前記トッププレートの下方に配置された複数の加熱コイルと、
前記複数の加熱コイルに高周波電流を供給するインバータと、
前記インバータの出力を制御する制御部と、
前記トッププレート上に載置された前記被加熱物の状態を判別する被加熱物判別部と、
を備え
前記被加熱物判別部は、前記被加熱物が載置された領域に対応する加熱コイルを検出し、前記検出された加熱コイルのうち前記被加熱物の状態を判別する判別期間内に検出された加熱コイルで形成される領域に１つの被加熱物が載置されているものとして前記被加熱物の状態を判別し、
前記制御部は、前記被加熱物判別部で判別された前記被加熱物の状態に基づいて、前記被加熱物が載置された領域に対応する加熱コイルへの電力供給を制御する、誘導加熱装置。
【請求項２】
前記被加熱物判別部の判別結果を表示し、前記制御部に対して動作指令を出力する操作表示部をさらに備え、
前記制御部は、前記操作表示部から出力された前記動作指令に基づいて、前記加熱コイルへの電力供給を制御する、請求項１に記載の誘導加熱装置。
【請求項３】
前記判別期間は、複数存在し、
前記被加熱物判別部は、それぞれの判別期間で新たに検出された加熱コイルで形成される領域には、新たな別の被加熱物が載置されていると判別する、請求項１または２に記載の誘導加熱装置。
【請求項４】
前記判別期間は、前記被加熱物が載置された領域に対応する加熱コイルが前記被加熱物判別部によって検出された時点から開始する、請求項１〜３のいずれか一項に記載の誘導加熱装置。
【請求項５】
前記判別期間は、一定の期間で繰り返される、請求項１〜３のいずれか一項に記載の誘導加熱装置。
【請求項６】
前記被加熱物判別部は、前記判別期間内で検出された加熱コイルで形成される領域の数から前記被加熱物の個数を判別する、請求項１〜５のいずれか一項に記載の誘導加熱装置。
【請求項７】
前記被加熱物判別部は、前記判別期間内で検出された加熱コイルで形成される領域のサイズおよび／または形状から前記被加熱物のサイズおよび／または形状を判別する、請求項１〜６のいずれか一項に記載の誘導加熱装置。
【請求項８】
前記複数の加熱コイルのそれぞれの周りに配置され、前記トッププレートを通して目視可能に点灯する発光部をさらに備え、
前記発光部は、少なくとも被加熱物が載置された領域に対応する加熱コイルにより形成される領域の周囲を点灯表示するよう構成された、請求項１〜７のいずれか一項に記載の誘導加熱装置。
【発明の詳細な説明】
【技術分野】
【０００１】
本開示は、誘導加熱装置に関する。特に、トッププレート上に載置された金属製の調理用鍋などの被加熱物を誘導加熱する誘導加熱装置に関する。
【背景技術】
【０００２】
誘導加熱装置として、一般的に用いられている誘導加熱調理器においては、例えば、１つ又は２つの加熱コイルがトッププレートの直下に配設されており、加熱コイルによりトッププレート上に載置された被加熱物である金属製の調理用鍋などを誘導加熱するよう構成されている。【０００３】
また、誘導加熱調理器においては、トッププレートの直下に多数の加熱コイルを配設したマルチコイル構成が提案されている（例えば、特許文献１参照。）。【０００４】
特許文献１に記載された加熱調理器は、トッププレートの下に敷き詰められた多数の加熱コイルが近接して配置されており、調理用鍋などの被加熱物をトッププレート上のいずれの位置に載置しても誘導加熱可能な構成を有している。【０００５】
さらに、多数の加熱コイルにより被加熱物である調理用鍋を加熱するマルチコイル構成は、例えば、特許文献２に記載される。【０００６】
特許文献２に記載された加熱調理器は、加熱セルの各々に無線周波数帯の交流信号を供給し、被加熱物と加熱セルとの間に位置する導電性ループにおける誘導信号を検出する構成を有する。この誘導信号は被加熱物の存在により変化することから、トッププレート上に載置された被加熱物の位置を検出することができる。
【先行技術文献】
【特許文献】
【０００７】
【特許文献１】独国特許出願公開第１０２０１００２８５４９号明細書
【特許文献２】欧州特許第１２０６１６４号明細書
【発明の概要】
【発明が解決しようとする課題】
【０００８】
前述のように特許文献１に記載された加熱調理器においては、被加熱物をトッププレートのいずれの位置に載置しても誘導加熱可能な構成を有しているが、１つの被加熱物を加熱するために必要な加熱コイルの数が不明であった。また、特許文献２に開示された加熱調理器では、各々の加熱コイル上に被加熱物が載置されたか否かを検出できるが、被加熱物の個数等を判別することができなかった。したがって、従来の誘導加熱装置では、被加熱物の加熱の制御を適切に行うことができないという課題を有していた。【０００９】
本開示は、トッププレートの下に複数の加熱コイルが配設されたマルチコイル構成において、トッププレート上に載置された被加熱物の個数、サイズ及び／又は形状等を判別して、被加熱物の加熱の制御を適切に行うことができる誘導加熱装置を提供することを目的とする。
【課題を解決するための手段】
【００１０】
前記従来の課題を解決するために、本開示の一態様である誘導加熱装置は、
被加熱物を載置するためのトッププレートと、
前記トッププレートの下方に配置された複数の加熱コイルと、
前記複数の加熱コイルに高周波電流を供給するインバータと、
前記インバータの出力を制御する制御部と、
前記トッププレート上に載置された前記被加熱物の状態を判別する被加熱物判別部と、
を備え
前記被加熱物判別部は、前記被加熱物が載置された領域に対応する加熱コイルを検出し、前記検出された加熱コイルのうち前記被加熱物の状態を判別する判別期間内に検出された加熱コイルで形成される領域に１つの被加熱物が載置されているものとして前記被加熱物の状態を判別し、
前記制御部は、前記被加熱物判別部で判別された前記被加熱物の状態に基づいて、前記被加熱物が載置された領域に対応する加熱コイルへの電力供給を制御する。【００１１】
また、前記被加熱物判別部が、前記被加熱物が載置された領域の加熱コイルを検出すると、一定期間（判別期間）内に検出された１又は近接する複数の加熱コイルで形成される領域に一つの被加熱物が載置されていると判別する。そして、一定期間（判別期間）経過後にさらに被加熱物判別部が加熱コイルを検出した場合、前の一定期間（判別期間）で判別された被加熱物とは別の被加熱物が載置されていると判別する。即ち、前記判別期間は、複数存在し、前記被加熱物判別部は、それぞれの判別期間で新たに検出された加熱コイルで形成される領域には、新たな別の被加熱物が載置されていると判別する。
【発明の効果】
【００１２】
本開示の誘導加熱装置は、第１の被加熱物が載置されてから一定期間後に載置された第２の被加熱物は別の鍋として判別することができるため、所望の被加熱物に対して加熱の開始など加熱制御を行うことができる。即ち、本開示の誘導加熱装置は、トッププレートの下に複数の加熱コイルが配設されたマルチコイル構成において、トッププレート上に載置された被加熱物の個数、サイズ及び／又は形状等を判別して、被加熱物の加熱の制御を適切に行うことができる。
【図面の簡単な説明】
【００１３】
【図１】本開示の実施の形態１に係る誘導加熱装置の概略平面図である。
【図２】図１におけるＡ−Ａ線により切断した誘導加熱装置の縦断面図である。
【図３】本開示の実施の形態１に係る誘導加熱装置の構成を示すブロック図である。
【図４】本開示の実施の形態１に係る誘導加熱装置の回路構成を示す図である。
【図５】本開示の実施の形態１に係る誘導加熱装置の電源からの入力電流とインバータに発生する出力電圧との関係を示す説明図である。
【図６】本開示の実施の形態１に係る誘導加熱装置の被加熱物判別部によって被加熱物が載置された領域に対応する加熱コイルを検出した場合における被加熱物の判別動作のタイムチャートである。
【図７】本開示の実施の形態１に係る誘導加熱装置の操作表示部の表示内容を示す図である。
【図８】本開示の実施の形態２に係る誘導加熱装置の被加熱物判別部によって被加熱物が載置された領域に対応する加熱コイルを検出した場合における被加熱物の判別動作のタイムチャートである。
【図９】本開示の実施の形態３に係る誘導加熱装置の被加熱物判別部によって被加熱物が載置された領域に対応する加熱コイルを検出した場合における被加熱物の判別動作のタイムチャートである。
【図１０】本開示の実施の形態３に係る誘導加熱装置の操作表示部の表示内容を示す図である。
【図１１】本開示の実施の形態４に係る誘導加熱装置に被加熱物を載置した場合の概略平面図である。
【図１２】本開示の実施の形態４に係る誘導加熱装置に別の被加熱物を載置した場合の概略平面図である。
【発明を実施するための形態】
【００１４】
本開示の第１の態様に係る誘導加熱装置は、
被加熱物を載置するためのトッププレートと、
前記トッププレートの下方に配置された複数の加熱コイルと、
前記複数の加熱コイルに高周波電流を供給するインバータと、
前記インバータの出力を制御する制御部と、
前記トッププレート上に載置された前記被加熱物の状態を判別する被加熱物判別部と、
を備え
前記被加熱物判別部は、前記被加熱物が載置された領域に対応する加熱コイルを検出し、前記検出された加熱コイルのうち前記被加熱物の状態を判別する判別期間内に検出された加熱コイルで形成される領域に１つの被加熱物が載置されているものとして前記被加熱物の状態を判別し、
前記制御部は、前記被加熱物判別部で判別された前記被加熱物の状態に基づいて、前記被加熱物が載置された領域に対応する加熱コイルへの電力供給を制御する。
【００１５】
このような構成により、トッププレート上に載置された被加熱物の状態を判別できるため、被加熱物が載置された領域に対応する加熱コイルのみを加熱制御することができる。例えば、判別期間内にトッププレート上に被加熱物が載置されたか否かを判別することにより、被加熱物の個数等を判別することができる。したがって、所望の被加熱物のみに加熱するように制御を行うことが可能である。
【００１６】
本開示の第２の態様に係る誘導加熱装置においては、前記第１の態様における前記被加熱物判別部の判別結果を表示し、前記制御部に対して動作指令を出力する操作表示部をさらに備え、
前記制御部は、前記操作表示部から出力された前記動作指令に基づいて、前記加熱コイルへの電力供給を制御する。
【００１７】
このような構成により、操作表示部に被加熱物の状態を表示しつつ、被加熱物を加熱するための動作指令を出力することができる。したがって、使用者にとって使い勝手の良い誘導加熱装置を提供することができる。
【００１８】
本開示の第３の態様に係る誘導加熱装置においては、前記第１又は２の態様における前前記判別期間は、複数存在し、
前記被加熱物判別部は、それぞれの判別期間で新たに検出された加熱コイルで形成される領域には、新たな別の被加熱物が載置されていると判別する。
【００１９】
このような構成により、被加熱物判別部が、被加熱物が載置された領域の加熱コイルを検出すると、一定期間（判別期間）内に検出された１又は近接する複数の加熱コイルで形成される領域に一つの被加熱物が載置されていると判別する。そして、一定期間（判別期間）経過後にさらに被加熱物判別部が他の加熱コイルを検出した場合、前の一定期間（判別期間）で判別された被加熱物とは別の被加熱物が載置されていると判別する。したがって、それぞれの判別期間で被加熱物がトッププレート上に載置されているか否かなどの被加熱物の状態を判別することができるため、所望の被加熱物のみに加熱の制御を行うことが可能となる。
【００２０】
本開示の第４の態様に係る誘導加熱装置においては、前記第１〜３のいずれかの態様における前記判別期間は、前記被加熱物が載置された領域に対応する加熱コイルが前記被加熱物判別部によって検出された時点から開始する。
【００２１】
このような構成により、被加熱物が載置されている領域に対応する加熱コイルが検出されると判別期間が開始することで、適切なタイミングで被加熱物の状態を判別することができる。
【００２２】
また、被加熱物判別部は、被加熱物の状態の判別後に被加熱物が移動した場合、被加熱物の状態を更新して判別することができる。被加熱物が移動した場合、被加熱物判別部では、被加熱物が載置されなくなった位置に対応する加熱コイルは検出されなくなる。そして、被加熱物判別部は、被加熱物が新たに載置された位置に対応する加熱コイルを検出し、判別期間を開始する。この判別期間において、新たに検出された加熱コイルと、新たに検出された加熱コイルに近接する加熱コイルのうち既に検出されている加熱コイルとで形成される領域に一つの被加熱物が載置されていると判別される。
【００２３】
本開示の第５の態様に係る誘導加熱装置においては、前記第１〜３のいずれかの態様における前記判別期間は、一定の期間で繰り返される。
【００２４】
このような構成により、被加熱物判別部の構成を簡素化し、容易に被加熱物の状態を判別することができる。
【００２５】
本開示の第６の態様に係る誘導加熱装置においては、前記第１〜５のいずれかの態様における前記被加熱物判別部は、前記判別期間内で検出された加熱コイルで形成される領域の数から前記被加熱物の個数を判別する。
【００２６】
このような構成により、被加熱物判別部は、検出された加熱コイルで形成される領域の数によって、被加熱物の個数を判別することができ、所望の被加熱物のみに加熱するように制御を行うことが可能である。
【００２７】
本開示の第７の態様に係る誘導加熱装置においては、前記第１〜６のいずれかの態様における前記被加熱物判別部は、前記判別期間内で検出された加熱コイルで形成される領域のサイズおよび／または形状から前記被加熱物のサイズおよび／または形状を判別する。
【００２８】
このような構成により、被加熱物のサイズ及び／又は形状に基づいて、所望の被加熱物のみに加熱するように制御を行うことが可能である。
【００２９】
本開示の第８の態様に係る誘導加熱装置においては、前記第１〜７のいずれかの態様における前記複数の加熱コイルのそれぞれの周りに配置され、前記トッププレートを通して目視可能に点灯する発光部をさらに備え、
前記発光部は、少なくとも被加熱物が載置された領域に対応する加熱コイルにより形成される領域の周囲を点灯表示するよう構成される。
【００３０】
このような構成により、加熱操作しようとする領域及び／又は加熱している領域を目視にて確認でき、使用者が誤操作を行い難くすることができる
【００３１】
以下、本開示に係る実施の形態について、図面を参照しながら動作、作用を説明する。なお、この実施の形態によって本開示が限定されるものではない。また、以下の全ての図において、同一又は相当部分には、同一の符号を付し、重複する説明は省略する。
【００３２】
（実施の形態１）
［全体構成］
図１は、本開示の実施の形態１に係る誘導加熱装置の概略平面図であり、本開示において主要な要素を概略的に示している。図２は、図１におけるＡ−Ａ線により切断した誘導加熱装置の縦断面図である。図３は、本開示の実施の形態１に係る誘導加熱装置の構成を示すブロック図である。
【００３３】
図１〜図３に示すように、実施の形態１に係る誘導加熱装置１０ａは、トッププレート１３、トッププレート１３の下方に整列して配置された複数の加熱コイル１１、加熱コイル１１に高周波電流を供給するインバータ１６、インバータ１６の出力を制御する制御部１７を備える。また、被加熱物の状態（被加熱物の個数、サイズ、及び／又は形状等）を判別する被加熱物判別部１８を備えるとともに、被加熱物判別部１８の判別結果を表示し、制御部１７に動作指令を出力する操作表示部１２を備える。
【００３４】
以下、実施の形態１に係る誘導加熱装置１０ａを構成する各要素について詳述する。
［トッププレート］
実施の形態１に係る誘導加熱装置１０ａは、上部に平板なトッププレート１３を有する。図１に示すように、トッププレート１３上には、鍋等の第１の被加熱物１４、及び第２の被加熱物１５が載置されている。なお、トッププレート１３は、ガラスやセラミック等の電気絶縁物で構成されている。
【００３５】
［加熱コイル］
加熱コイル１１は、複数の加熱コイルを有するマルチコイル構成である。複数の加熱コイル１１は、トッププレート１３の下方において所定間隔を有してマトリクス状に並んで配設されている。例えば、図１に示すように、実施の形態１の誘導加熱装置１０ａは、縦に５個、横に９個の複数の加熱コイル１１を並べて配設した構成であってもよい。実施の形態１では、図１においての操作表示部１２に近い加熱コイル１１の行から順にａ〜ｅ行とし、図１の誘導加熱装置１０ａの左側の列から順にａ〜ｉ列と定義する。したがって、実施の形態１では、複数の加熱コイル１１を、加熱コイル１１ａａ〜１１ｅｉの符号で示している。以下の説明では、同様の符号が加熱コイル１１に付されている。また、加熱コイル１１は、すべて実質的に同一の形状、同一構成を有している。実施の形態１に係る誘導加熱装置１０ａにおいて、加熱コイル１１は、誘導加熱動作を行う。
【００３６】
［インバータ］
インバータ１６は、複数の加熱コイル１１に接続されている。インバータ１６は、複数の加熱コイル１１のそれぞれに高周波電流を供給する。実施の形態１の誘導加熱装置１０ａは、複数の加熱コイル１１に対応して、それぞれ別々に接続される複数のインバータ１６を備える構成としてもよい。例えば、実施の形態１の誘導加熱装置１０ａは、図２に示すように、各加熱コイル１１ａａ〜１１ｅｉのそれぞれに接続されるインバータ１６ａａ〜１６ｅｉを備えてもよい。あるいは、幾つかの加熱コイル１１をまとめてインバータ１６に接続する構成等がある。その他、給電を要する加熱コイル１１にインバータ１６の接続を切り替える構成もある。
【００３７】
［制御部］
制御部１７は、インバータ１６、操作表示部１２、及び被加熱物判別部１８に接続されている。例えば、制御部１７は、操作表示部１２から動作指令の指示を受けて、インバータ１６の出力を制御する。また、制御部１７は、被加熱物判別部１８から被加熱物の判別結果を受けて、インバータ１６の出力を制御してもよい。さらに、制御部１７は、被加熱物判別部１８の判別結果に基づいて加熱制御の操作に必要な情報を作成し、操作表示部１２に出力してもよい。加熱制御に必要な情報とは、例えば、被加熱物の個数、サイズ、及び／又は形状等の他、被加熱物の載置された位置等である。
【００３８】
［操作表示部］
操作表示部１２は、トッププレート１３において使用者側（図１における下側）の中央に配置されており、使用者が使いやすい構成となっている。操作表示部１２は、図１に示す位置に限定されるものではなく、使用者が使いやすい構成であれば、任意の位置に配置してもよい。
【００３９】
操作表示部１２は、制御部１７に接続されている。操作表示部１２は、制御部１７に対して電力供給の開始又は停止、電力調整等の動作指令の信号を出力する。例えば、操作表示部１２は、トッププレート１３上に鍋等の第１の被加熱物１４が載置されたとき、制御部１７に対して、使用者の操作に基づいて加熱動作の開始を指示する動作指令の信号を出力する。
【００４０】
また、操作表示部１２は、例えば、制御部１７で被加熱物判別部１８から被加熱物の判別結果を受けると、制御部１７から被加熱物の表示に関する信号を受け、加熱制御の操作に必要な情報（例えば、被加熱物の個数又はサイズ等）を表示してもよい。
【００４１】
［被加熱物判別部］
被加熱物判別部１８は、インバータ１６と制御部１７に接続されている。例えば、被加熱物を検出するために、電流検出部及び／又は電圧検出部によって、インバータ１６など、電源から加熱コイル１１までの電力伝送の通電経路に流れる入力電流及び／又は発生する出力電圧を検出する。被加熱物判別部１８は、入力電流及び／又は出力電圧の検出値に基づいて、例えば、通電している加熱コイル１１の上方に鍋等の被加熱物が載置されているか否かといった、加熱コイル１１と磁気結合している被加熱物の状態を把握する。即ち、被加熱物判別部１８は、被加熱物が載置されている領域に対応する加熱コイル１１を検出する。被加熱物が載置されている領域に対応する加熱コイル１１とは、例えば、被加熱物の直下の加熱コイル１１である。また、例えば、被加熱物の検出結果、即ち、検出された加熱コイル１１の結果は、信号として制御部１７に出力してもよい。
【００４２】
被加熱物判別部１８は、検出された加熱コイル１１に基づいて、例えば、トッププレート１３上に載置されたのが１つの被加熱物であるか、あるいは２つの被加熱物であるかという被加熱物の個数、若しくは被加熱物のサイズ及び／又は形状等を判別する。
【００４３】
被加熱物判別部１８は、少なくとも被加熱物の判別結果を制御部１７に出力することができる。これにより、制御部１７が被加熱物の個数、サイズ及び／又は形状に応じて、適切な加熱の制御を行うことができる。
【００４４】
なお、各々の加熱コイル１１の検出結果に基づいて、各加熱コイル１１の加熱の制御を行う場合、被加熱物判別部１８は、被加熱物が載置されている領域に対応する加熱コイル１１を検出した時点で、加熱コイル１１の検出結果を制御部１７に出力するようにしてもよい。
【００４５】
上記のように、実施の形態１の誘導加熱装置１０ａにおいては、トッププレート１３の上に、第１の被加熱物１４又は第２の被加熱物１５が載置されたとき、載置された領域において加熱動作が行われる。
【００４６】
例えば、図１に示すように、第１の被加熱物１４がトッププレート１３上に載置されたとき、第１の被加熱物１４の下方にある加熱コイル１１ｂｂ、１１ｂｃ、１１ｃｂ、１１ｃｃに高周波電流を供給し、第１の被加熱物１４に対して適切な誘導加熱動作を行う。
【００４７】
次に、図１に示すように、第２の被加熱物１５がトッププレート１３上に載置されたとき、第２の被加熱物１５の下方にある加熱コイル１１ｂｄ、１１ｃｄ、１１ｂｅ、１１ｃｅに高周波電流を供給し、第２の被加熱物１５に対して適切な誘導加熱動作を行う。
【００４８】
［被加熱物の検出方法］
実施の形態１に係る誘導加熱装置１０ａのトッププレート１３上に鍋等の第１の被加熱物１４を載置した場合における第１の被加熱物１４の検出動作について説明する。
【００４９】
図４は、本開示の実施の形態１に係る誘導加熱装置１０ａの回路構成の一例を示している。図５は、図４で示した回路構成において、被加熱物判別部１８が判別するための入力電流と出力電圧との関係を示している。
【００５０】
図４は、加熱コイル１１、インバータ１６、制御部１７、被加熱物判別部１８、交流電源４０、電流検出部４８、及び電圧検出部４９から構成される誘導加熱装置１０ａの回路を示している。インバータ１６は、ダイオードブリッジ４１と、チョークコイル４２と、平滑コンデンサ４３と、第１のスイッチング素子４４と、第２のスイッチング素子４５と、共振コンデンサ４６と、スナバコンデンサ４７とを備える。
【００５１】
図４に示す回路構成では、電源４０は、交流を直流に変換し平滑するために、ダイオードブリッジ４１、チョークコイル４２及び平滑コンデンサ４３に接続されている。平滑コンデンサ４３の両端には、加熱コイル１１に高周波電流を供給するために、逆導通ダイオードを備えた第１のスイッチング素子４４、及び同じく逆導通ダイオードを備えた第２のスイッチング素子４５が直列に接続されている。
【００５２】
また、第２のスイッチング素子４５には、加熱コイル１１と電流共振を起こさせるための共振コンデンサ４６と、第１のスイッチング素子４４及び第２のスイッチング素子４５がオフするときに発生するスイッチング損失を低減するためのスナバコンデンサ４７とが並列に接続されている。
【００５３】
さらに、図４に示した回路構成では、電源４０からインバータ１６に供給される入力電流Ｉｉｎを検出するための電流検出部４８と、インバータ１６内の共振コンデンサ４６の両端電圧である出力電圧Ｖｃを検出するための電圧検出部４９が備えられている。電流検出部４８と電圧検出部４９の検出値は、被加熱物判別部１８に出力される。
【００５４】
電流検出部４８で検出された入力電流Ｉｉｎ及び電圧検出部４９で検出された出力電圧Ｖｃの検出値により、図５は、横軸を電流Ｉｉｎ、縦軸を電圧Ｖｃとする座標平面上に入力電流Ｉｉｎ及び出力電圧Ｖｃの検出値を表記することができる。図５は、本開示の実施の形態１に係る誘導加熱装置１０ａの電源４０からの入力電流Ｉｉｎとインバータ１６に発生する出力電圧Ｖｃとの関係を示す説明図である。
【００５５】
例えば、実施の形態１の誘導加熱装置１０ａは、図４に示した回路構成における電源４０の入力電圧を一定とし、１つの加熱コイル１１においてトッププレート１３に対向する面の加熱領域（加熱コイル１１の上面の加熱領域）の５０％以上の領域に被加熱物が載置されたとき、被加熱物判別部１８で被加熱物有りと検出するように条件を設定することができる。実施の形態１の誘導加熱装置１０ａは、この条件において、第１のスイッチング素子４４及び第２のスイッチング素子４５の動作周波数又はデューティ等の駆動変数を変化させた場合、入力電流Ｉｉｎと出力電圧Ｖｃ（共振コンデンサ４６の両端電圧）の検出値が互いに影響を及ぼす相関関係を有していれば、その検出値を結ぶことによって図５に示す閾値曲線Ｌを描くことができる。なお、実施の形態１の誘導加熱装置１０ａは、例えば、加熱コイル１１の上面の加熱領域の４０％以上の領域に被加熱物が載置されたとき、被加熱物有りと検出するように条件を設定してもよい。つまり、実施の形態１の誘導加熱装置１０ａは、被加熱物の有無を検出する際の条件は任意に設定することができる。
【００５６】
閾値曲線Ｌは、加熱コイル１１が被加熱物を加熱できる状態（加熱コイル１１の上方に被加熱物がある状態）と加熱できない状態（加熱コイル１１の上方に被加熱物がない状態）との境界を示している。図５に示す座標平面上において、領域１（閾値曲線Ｌより図示右側の領域）は加熱コイル１１が被加熱物を加熱できる状態を示し、領域２（閾値曲線Ｌより図示左側の領域）は加熱コイル１１が加熱できない状態を示している。
【００５７】
例えば、加熱コイル１１の上方に被加熱物が載置されていなければ、入力電流Ｉｉｎに対して出力電圧Ｖｃが大きくなる。そのため、加熱コイル１１が被加熱物を加熱できる状態と加熱できない状態との境界で閾値曲線Ｌを描き、入力電流Ｉｉｎと出力電圧Ｖｃの検出値が図５における領域１となれば加熱可能（被加熱物有り）と判別し、領域２となれば加熱不可能（被加熱物無し）と判別することができる。
【００５８】
なお、被加熱物の検出方法（被加熱物が載置されている領域に対応する加熱コイル１１の検出方法）はこれに限定するものではなく、例えば、加熱コイル１１の上方に被加熱物が載置されているか否かを検出できる方法が上記以外にあれば、被加熱物の検出方法は如何なるものでもよい。
【００５９】
［被加熱物の判別方法］
次に、実施の形態１に係る誘導加熱装置１０ａのトッププレート１３上に鍋等の第１の被加熱物１４と第２の被加熱物１５を載置した場合における被加熱物の個数等の判別方法について説明する。
【００６０】
図６は、本開示の実施の形態１に係る誘導加熱装置１０ａの被加熱物判別部１８によって被加熱物が載置された領域に対応する加熱コイル１１を検出した場合における被加熱物の判別動作のタイムチャートを示している。
【００６１】
図７は本開示の実施の形態１における誘導加熱装置１０ａの操作表示部１２の表示内容を示す図である。図７は、被加熱物判別部１８の判別結果に基づいて操作表示部１２に表示された図の一例である。
【００６２】
トッププレート１３上に被加熱物が載置されていない場合、電流検出部４８及び電圧検出部４９で検出された入力電流Ｉｉｎ及び出力電圧Ｖｃの検出値は、図５に示す領域２に位置する。この検出結果に基づいて、被加熱物判別部１８は、加熱コイル１１の上方に被加熱物なしと判別する（図６における「被加熱物無」）。
【００６３】
ここで、第１の被加熱物１４を図１に示す領域に載置すると、第１の被加熱物１４の下方に配置された４つの加熱コイル１１ｂｂ、１１ｃｂ、１１ｂｃ、１１ｃｃにおいて、被加熱物の検出が行われる。電流検出部４８での入力電流Ｉｉｎ及び電圧検出部４９での出力電圧Ｖｃの検出値は、図５における領域１に位置し、被加熱物判別部１８は被加熱物ありと判別する（図６における被加熱物有）。即ち、第１の被加熱物１４が載置されている領域に対応する加熱コイル１１ｂｂ、１１ｃｂ、１１ｂｃ、１１ｃｃが検出される。
【００６４】
なお、第１の被加熱物１４の下方に配置された４つの加熱コイル１１ｂｂ、１１ｃｂ、１１ｂｃ、１１ｃｃの検出タイミングがずれているのは、例えば、第１の被加熱物１４がトッププレート１３の平面に対して平行でない状態で載置されると、第１の被加熱物１４とトッププレート１３下の加熱コイル１１との距離が近い場所から検出がされるからである。
【００６５】
また、被加熱物の検出動作を間欠的に行い、且つ近接した加熱コイル１１では同時に被加熱物の検出動作を行わない場合には、必然的に被加熱物の検出タイミングがずれることになる。
【００６６】
図１に示すように、第１の被加熱物１４がトッププレート１３上に載置された場合、図６に示すように、被加熱物判別部１８は、まず加熱コイル１１ｂｂについて、被加熱物有と判別する。その後、加熱コイル１１ｃｂ、１１ｂｃ、１１ｃｃで順次被加熱物有と判別する。即ち、第１の被加熱物１４が載置された領域に対応する加熱コイル１１ｂｂ、１１ｃｂ、１１ｂｃ、１１ｃｃが順に検出される。ここで、被加熱物判別部１８は、最初に加熱コイル１１ｂｂで被加熱物有と判別したことをトリガにして、被加熱物の個数等を判別する判別期間Ｔｃ１を開始する。即ち、判別期間Ｔｃ１は、被加熱物判別部１８によって被加熱物の直下にある加熱コイル１１を検出したときから開始する。
【００６７】
被加熱物判別部１８は、判別期間Ｔｃ１中に「被加熱物有」と判別された加熱コイル１１ｂｂ、１１ｃｂ、１１ｂｃ、１１ｃｃに載置された第１の被加熱物１４を１つの被加熱物と判別する。即ち、被加熱物判別部１８は、判別期間Ｔｃ１中に「被加熱物有」と検出された加熱コイル１１ｂｂ、１１ｃｂ、１１ｂｃ、１１ｃｃで形成される領域に１つの被加熱物が載置されていると判別する。その後、この被加熱物判別部１８の判別結果を制御部１７に出力する。
【００６８】
次に、図１に示すように、第２の被加熱物１５をトッププレート１３上に載置する。図６に示すように、被加熱物判別部１８は、第１の被加熱物１４が載置された時と同様に、加熱コイル１１ｂｄ、１１ｃｄ、１１ｂｅ、１１ｃｅで順次「被加熱物有」と判別する。被加熱物判別部１８は、最初に加熱コイル１１ｂｄで被加熱物有と判別したことをトリガにして、判別期間Ｔｃ２を開始する。そして、被加熱物判別部１８は、判別期間Ｔｃ２内に「被加熱物有」と判別された加熱コイル１１ｂｄ、１１ｃｄ、１１ｂｅ、１１ｃｅに載置された第２の被加熱物１５を１つの被加熱物と判別する。即ち、被加熱物判別部１８は、判別期間Ｔｃ２内に検出された加熱コイル１１ｂｄ、１１ｃｄ、１１ｂｅ、１１ｃｅで形成される領域に１つの被加熱物が載置されていると判別する。その後、この被加熱物判別部１８の判別結果を制御部１７に出力する。
【００６９】
なお、判別期間Ｔｃ１、Ｔｃ２とは、被加熱物判別部１８が、検出された加熱コイル１１で形成される領域に基づいて、被加熱物の状態（個数、サイズ又は形状等）を判別するための期間である。判別期間Ｔｃ１、Ｔｃ２は、同一の長さとしてもよいし、それぞれ異なっていてもよい。判別期間Ｔｃ１、Ｔｃ２は、少なくとも全ての加熱コイル１１で被加熱物の検出を行うことができる期間であればよく、それ以上の期間であってもよい。例えば、実施の形態１の誘導加熱装置１０ａは、最初に加熱コイル１１で被加熱物有と判別したことをトリガにして判別期間Ｔｃ１を開始し、少なくとも全ての加熱コイル１１で検出動作を行った後に判別期間Ｔｃ１を終了するように設定される。また、被加熱物の誤検知を防止するために、加熱コイル１１で被加熱物有と複数回検知した上で被加熱物有と確定する場合には、全ての加熱コイル１１で検出動作を２回以上行った後に判別期間Ｔｃ１を終了するように設定してもよい。
【００７０】
誘導加熱装置１０ａは、被加熱物の個数、サイズ及び／又は形状等を使用者のように目視によって判別することができない。そのため、例えば、被加熱物判別部１８が最初に被加熱物を検出してから一定期間の間に検出された加熱コイル１１に載置されている被加熱物を単一の被加熱物と判別することにより、被加熱物の個数、サイズ又は形状等を判別してもよい。例えば、判別期間Ｔｃ１内で被加熱物が載置された領域に対応する加熱コイル１１、即ち、被加熱物の直下にある加熱コイル１１を検出し、この検出した加熱コイル１１で形成される領域に１つの被加熱物が載置されているもの判別する。次に、判別期間Ｔｃ２内で新たに検出した加熱コイル１１で形成される領域に別の被加熱物が載置されているものと判別する。このように、それぞれの判別期間で新たに検出された加熱コイルで形成される領域には、新たな別の被加熱物が載置されているものとして、被加熱物の個数等を判別してもよい。
【００７１】
図６において、第１の被加熱物１４が加熱コイル１１ｂｂで最初に検出されてから一定期間（判別期間Ｔｃ１）よりも遅いタイミングで、第２の被加熱物１５が加熱コイル１１ｂｄで最初に検出されている。そのため、第２の被加熱物１５は、第１の被加熱物１４とは異なる被加熱物と判別することが可能となる。
【００７２】
なお、被加熱物判別部１８は、複数の被加熱物をトッププレート１３上に同時に載せた場合でも、検出された加熱コイル１１のうち近接する加熱コイル１１で形成される領域の数又はサイズによって、被加熱物の個数、サイズ又は形状等を判別することができる。例えば、図１に示す構成において、加熱コイル１１ｂｂ、１１ｃｂ、１１ｂｃ、１１ｃｃに第１の被加熱物１４を載置し、加熱コイル１１ａｈ、１１ｂｈ、１１ａｉ、１１ｂｉに第２の被加熱物１５を載置した場合について説明する。この場合、判別期間Ｔｃ１の間に加熱コイル１１ｂｂ、１１ｃｂ、１１ｂｃ、１１ｃｃ、１１ａｈ、１１ｂｈ、１１ａｉ、１１ｂｉで被加熱物が載置されていることが検出され、それぞれの加熱コイルで「被加熱物有」と判別される。被加熱物判別部１８では、「被加熱物有」と判別された加熱コイル１１ｂｂ、１１ｃｂ、１１ｂｃ、１１ｃｃで形成される領域に１つの被加熱物があり、加熱コイル１１ａｈ、１１ｂｈ、１１ａｉ、１１ｂｉで形成される領域に１つの被加熱物があると判別する。したがって、被加熱物判別部１８は、複数の被加熱物をトッププレート１３上に同時に載せた場合でも、「被加熱物有」と判別された１又は隣接する複数の加熱コイル１１で形成される領域の数又はサイズによって、被加熱物の個数、サイズ又は形状等を判別することができる。即ち、被加熱物判別部１８は、判別期間Ｔｃ１内で複数の被加熱物の個数、サイズ又は形状等を判別することもできる。
【００７３】
被加熱物判別部１８から出力された判別結果に基づき、制御部１７は、トッププレート１３上に載置された被加熱物の個数、サイズ、形状、又は被加熱物が載置されている位置等の情報を操作表示部１２に出力する。
【００７４】
図７は、第１の被加熱物１４及び第２の被加熱物１５がトッププレート１３上に載置された場合における操作表示部１２の表示の一例を示している。
【００７５】
図７に示すように、操作表示部１２は、例えば、図１に示す第１の被加熱物１４に対応する表示３１と、図１に示す第２の被加熱物１５に対応する表示３２を表示する。操作表示部１２には、表示３１と表示３２の２つが存在することから被加熱物の個数が２つであることを容易に判断することができる。また、操作表示部１２において表示される表示３１と表示３２のサイズ、形状、及び位置により、第１の被加熱物１４と第２の被加熱物１５のサイズ、形状、及びトッププレート１３上に載置された位置を容易に判断することもできる。
【００７６】
このように、第１の被加熱物１４に対応する表示を表示３１、第２の被加熱物１５に対応する表示を表示３２とすることで、被加熱物とそれに対応する表示を容易に判断することができる。また、操作表示部１２は、例えば、タッチパネルを備えることで、表示された部分を押したりスライドしたりすることで操作可能となり、使い勝手をよくすることができる。
【００７７】
（実施の形態２）
以下、実施の形態２の誘導加熱装置１０ｂについて図８を用いて説明する。
【００７８】
ここで、実施の形態２では実施の形態１と異なる部分のみを説明し、実施の形態１と同一の部分については説明を省略する。
【００７９】
図８は、本開示の実施の形態２に係る誘導加熱装置１０ｂの被加熱物判別部１８によって被加熱物が載置された領域に対応する加熱コイル１１を検出した場合における被加熱物の判別動作のタイミングチャートを示している。
【００８０】
実施の形態２では、各々の加熱コイル１１が被加熱物を検出するタイミングに基づいて１つの被加熱物として認識する期間を一定期間にして繰り返し認識を行っている点で、実施の形態１とは異なる。
【００８１】
図８に示すように、被加熱物判別部１８は、判別期間Ｔｃ３を一定の期間で繰り返すことにより、それぞれの判別期間Ｔｃ３内で検出された加熱コイル１１で形成される領域の数等から、被加熱物の個数等の判別を行っている。例えば、実施の形態２の誘導加熱装置１０ｂは、誘導加熱装置１０ｂの電源を入れたときから判別期間Ｔｃ３を開始し、少なくとも全ての加熱コイル１１で被加熱物の検出を行った後、判別期間Ｔｃ３を終了し、新たな判別期間Ｔｃ３を開始する。このように、実施の形態２では、一定の判別期間Ｔｃ３で繰り返し被加熱物の判別を行うことにより、被加熱物判別部１８が最初に被加熱物を検出するときのトリガを検出する必要がない。即ち、被加熱物判別部１８は、最初に加熱コイル１１で被加熱物有と判別したことを、判別期間Ｔｃ３を開始するトリガとして検出する必要がない。したがって、被加熱物判別部１８の構成を簡素化し、容易に被加熱物を判別することができる。
【００８２】
（実施の形態３）
以下、実施の形態３の誘導加熱装置１０ｃについて図９〜１０を用いて説明する。
【００８３】
ここで、実施の形態３では実施の形態１又は２と異なる部分のみを説明し、実施の形態１又は２と同一の部分については説明を省略する。
【００８４】
本開示の実施の形態３に係る誘導加熱装置１０ｃに第３の被加熱物２１を載置した場合を説明する。図９は、本開示の実施の形態３に係る誘導加熱装置１０ｃの被加熱物判別部１８によって被加熱物が載置された領域に対応する加熱コイル１１を検出した場合における被加熱物の判別動作のタイムチャートを示している。図１０は、本開示の実施の形態３に係る誘導加熱装置１０ｃの操作表示部１２の表示を示しており、被加熱物判別部１８の判別結果に基づく操作表示部１２の表示の一例である。
【００８５】
実施の形態３では、トッププレート１３状に略長方形状（例えば、８つの加熱コイル分のサイズ）の鍋等の第３の被加熱物２１を載置している。実施の形態３は、図１に示すコイル構成において、８つの加熱コイル１１ｂｂ、１１ｃｂ、１１ｂｃ、１１ｃｃ、１１ｂｄ、１１ｃｄ、１１ｂｅ、１１ｃｅが１つの被加熱物として認識する一定期間Ｔｃ４内で検出されている点で、実施の形態１又は２とは異なる。
【００８６】
８つの加熱コイル１１が必要な第３の被加熱物２１を本開示のマルチコイル構成の誘導加熱装置１０ｃに載置した場合について説明する。図９に示すように、被加熱物判別部１８は、被加熱物が載置されている領域に対応する８つの加熱コイル１１ｂｂ、１１ｃｂ、１１ｂｃ、１１ｃｃ、１１ｂｄ、１１ｃｄ、１１ｂｅ、１１ｃｅを検出し、それぞれの加熱コイルで「被加熱物有」と判別する。これにより、被加熱物判別部１８は、被加熱物が載置されていることを判別する。
【００８７】
次に、被加熱物判別部１８は、判別期間Ｔｃ４内に「被加熱物有」と判別された加熱コイル１１ｂｂ、１１ｃｂ、１１ｂｃ、１１ｃｃ、１１ｂｄ、１１ｃｄ、１１ｂｅ、１１ｃｅで形成される領域に１つの被加熱物が載置されていると判別する。その後、この被加熱物判別部１８の判別結果を制御部１７に出力する。
【００８８】
制御部１７では、被加熱物判別部１８の判別結果に伴い、図１０に示すように、操作表示部１２に被加熱物のサイズに対応した１つの表示３３が表示される。
【００８９】
これにより、被加熱物のサイズを変更しても、１つの被加熱物を認識された領域の加熱制御は１つとなるため、複数の操作を行う必要がなく、使い勝手の良い誘導加熱装置を提供することができる。
【００９０】
（実施の形態４）
以下、実施の形態４に係る誘導加熱装置１０ｄについて図１１〜１２を用いて説明する。
【００９１】
ここで、実施の形態４では実施の形態１〜３と異なる部分のみを説明し、実施の形態１〜３と同一の部分については説明を省略する。
【００９２】
図１１は本開示の実施の形態４に係る誘導加熱装置１０ｄに第１の被加熱物１４と第２の被加熱物１５を載置した場合の概略平面図である。図１２は、本開示の実施の形態４に係る誘導加熱装置１０ｄに第３の被加熱物２１を載置した場合の概略平面図である。
【００９３】
実施の形態４では、図１１及び図１２に示すように、トッププレート１３上に載置された被加熱物の領域に対応する加熱コイル１１で形成される領域を表示するための発光部２４を複数の加熱コイル１１のそれぞれの周りに配置した点で実施の形態１〜３とは異なる。
【００９４】
実施の形態４の誘導加熱装置１０ｄでは、被加熱物が載置されたトッププレート１３の下方に配置された加熱コイル１１の少なくとも周囲を囲うように発光部２４が配置されている。この発光部２４が発光することにより、トッププレート１３上において被加熱物が載置されている領域に対応する加熱コイル１１で形成される領域を示すことができる。そのため、使用者は、トッププレート１３上でも被加熱物の判別状態（個数、サイズ又は形状）が確認でき、視認性をよくすることができる。
【００９５】
また、使用者が誘導加熱装置１０ｄを使用中に目線を最も向ける被加熱物の周囲を発光させることでも、使い勝手がよくなる。
【００９６】
図１１は、トッププレート１３上に第１の被加熱物１４と第２の被加熱物１５を載置した場合を示している。図１１では、被加熱物判別部１８によって２つの被加熱物が載置されていることが判別できているため、被加熱物判別部１８の結果に基づいて２つの加熱領域２５、２６が発光部２４によってトッププレート１３上に表示されている。例えば、発光部２４は、被加熱物が載置された領域に対応する加熱コイル１１で形成される加熱領域２５、２６の周りで四角い枠体状に発光する。
【００９７】
一方、図１２では、図１１の被加熱物より大きな１つの第３の被加熱物２１が載置されていることが判別できているため、被加熱物のサイズに合った長方形の加熱領域２７が表示されている。このようにトッププレート１３上に表示される領域のサイズや個数を適切に表示させることにより、加熱操作しようとする領域や加熱している領域を目視にて確認でき、使用者が誤操作を行い難くすることができる。
【００９８】
上記全ての実施の形態における誘導加熱装置では、図１に示したように、縦列及び横列の加熱コイルが一直線上となるように配置されているものとしたが、整列されていれば本開示の誘導加熱装置の効果を奏することができるため、この構成に限定するものではない。
【００９９】
本開示から明らかなように、被加熱物が検出されるタイミングに基づいて１つの被加熱物か否かを判別することにより、被加熱物の加熱制御を適切に行うことができる。即ち、一定の期間である判別期間内において被加熱物があると検出された加熱コイルに基づいて、被加熱物の個数、サイズ又は形状等を判別することにより、被加熱物が載置された領域に対応する加熱コイルの制御を適切に行うことができる。
【産業上の利用可能性】
【０１００】
以上のように、本開示に係る誘導加熱装置は、第１の被加熱物が載置されてから一定期間経過後に載置された第２の被加熱物を別の被加熱物として判別することができるため、所望の被加熱物に対して加熱の開始等の加熱制御を行うことが可能となるので、誘導加熱調理器の用途に有効である。
【符号の説明】
【０１０１】
１０  誘導加熱装置
１１  加熱コイル
１２  操作表示部
１３  トッププレート
１４  第１の被加熱物（鍋）
１５  第２の被加熱物（鍋）
１６  インバータ
１７  制御部
１８  被加熱物判別部
２１  第３の被加熱物（鍋）
２４  発光部
２５、２６、２７  加熱領域
３１、３２、３３  表示
４０  電源
４１  ダイオードブリッジ
４２  チョークコイル
４３  平滑コンデンサ
４４  第１のスイッチング素子
４５  第２のスイッチング素子
４６  共振コンデンサ
４７  スナバコンデンサ
４８  電流検出部
４９  電圧検出部
【図１】
2014064941.tif 000003
【図２】
2014064941.tif 000004
【図３】
2014064941.tif 000005
【図４】
2014064941.tif 000006
【図５】
2014064941.tif 000007
【図６】
2014064941.tif 000008
【図７】
2014064941.tif 000009
【図８】
2014064941.tif 000010
【図９】
2014064941.tif 000011
【図１０】
2014064941.tif 000012
【図１１】
2014064941.tif 000013
【図１２】
2014064941.tif 000014
【手続補正書】
【提出日】平成26年2月24日(2014.2.24)
【手続補正１】
【補正対象書類名】特許請求の範囲
【補正対象項目名】全文
【補正方法】変更
【補正の内容】
【特許請求の範囲】
【請求項１】
被加熱物を載置するためのトッププレートと、
前記トッププレートの下方に配置された複数の加熱コイルと、
前記複数の加熱コイルに高周波電流を供給するインバータと、
前記インバータの出力を制御する制御部と、
前記トッププレート上に載置された前記被加熱物の状態を判別する被加熱物判別部と、
を備え
前記被加熱物判別部は、前記被加熱物が載置された領域に対応する加熱コイルを順次検出し、前記被加熱物が載置された領域に対応する加熱コイルが検出された時点から判別期間を開始し、少なくとも全ての加熱コイルで検出動作を行った後に前記判別期間を終了し、
前記検出された加熱コイルのうち前記被加熱物の状態を判別する前記判別期間内に検出された加熱コイルで形成される領域に１つの被加熱物が載置されているものとして前記被加熱物の状態を判別し、
前記制御部は、前記被加熱物判別部で判別された前記被加熱物の状態に基づいて、前記被加熱物が載置された領域に対応する加熱コイルへの電力供給を制御する、誘導加熱装置。
【請求項２】
前記被加熱物判別部の判別結果を表示し、前記制御部に対して動作指令を出力する操作表示部をさらに備え、
前記制御部は、前記操作表示部から出力された前記動作指令に基づいて、前記加熱コイルへの電力供給を制御する、請求項１に記載の誘導加熱装置。
【請求項３】
前記判別期間は、複数存在し、
前記被加熱物判別部は、それぞれの判別期間で新たに検出された加熱コイルで形成される領域には、新たな別の被加熱物が載置されていると判別する、請求項１または２に記載の誘導加熱装置。
【請求項４】
（削除）
【請求項５】
（削除）
【請求項６】
前記被加熱物判別部は、前記判別期間内で検出された加熱コイルで形成される領域の数から前記被加熱物の個数を判別する、請求項１〜３のいずれか一項に記載の誘導加熱装置。
【請求項７】
前記被加熱物判別部は、前記判別期間内で検出された加熱コイルで形成される領域のサイズおよび／または形状から前記被加熱物のサイズおよび／または形状を判別する、請求項１〜３のいずれか一項に記載の誘導加熱装置。
【請求項８】
前記複数の加熱コイルのそれぞれの周りに配置され、前記トッププレートを通して目視可能に点灯する発光部をさらに備え、
前記発光部は、少なくとも被加熱物が載置された領域に対応する加熱コイルにより形成される領域の周囲を点灯表示するよう構成された、請求項１〜３のいずれか一項に記載の誘導加熱装置。
【請求項９】
前記被加熱物判別部は、電源から前記加熱コイルまでの通電経路に流れる入力電流及び／又は出力電圧の検出値に基づいて前記被加熱物の状態を判別する、請求項１〜３のいずれか一項に記載の誘導加熱装置。
【国際調査報告】
2014064941.tif 000015
2014064941.tif 000016